(57)【特許請求の範囲】
【請求項１】
被写体に対する合焦動作を行なう自動合焦機構および撮像レンズを含む撮像部と、前記撮像部から取込んだ被写体画像を表示する表示部を備えた本体とが、互に回転可能に接続された電子カメラにおいて、
前記撮像部と前記本体との位置関係を検出する位置関係検出手段と、
セルフタイマーモード時に、前記検出手段が前記撮像レンズと前記表示部とが異なる側を向いた第１の位置関係であることを検出した場合は、撮像指示操作がなされた直後に自動合焦動作を行うと共に、
前記撮像レンズと前記表示部とが同じ側を向いた第２の位置関係であることを検出した場合は、撮像指示操作がなされた後、実際の撮像動作の直前に自動合焦動作を行なう制御手段と、
を備えたことを特徴とする電子カメラ装置。
【請求項２】
前記制御手段は、
セルフタイマーモード時に、
前記撮像レンズと前記表示部とが同じ側を向いた第２の位置関係であることを検出した場合は、
前記撮像操作がなされた際に、カウントダウンを開始指示し、
前記表示部に、被写体画像とカウントダウンを重畳表示させ、
このカウントダウン終了の付近で自動合焦動作を行なうように制御すること
を特徴とする請求項１記載の電子カメラ装置。
【請求項３】
被写体に対する合焦動作を行なう自動合焦機構および撮像レンズを含む撮像部と、前記撮像部から取込んだ被写体画像を表示する表示部を備えた本体とが、互に回転可能に接続された電子カメラにおいて、
セルフタイマーモード時に、前記撮像部と前記本体との位置関係を検出し、
前記撮像部と前記本体とが第１の位置関係であることを検出した場合は、撮像指示操作がなされた直後に自動合焦動作を行なうと共に、第２の位置関係であることを検出した場合は、撮像指示操作がなされた後、実際の撮像動作の直前に自動合焦動作を行なう、
ことを特徴とする撮像方法。
【発明の詳細な説明】
【０００１】
【発明の属する技術分野】
本発明は、自動合焦機能（オートフォーカス（ＡＦ））機能を備えた電子カメラ装置のセルフタイマ設定時の合焦動作制御技術に関する。
【０００２】
【従来の技術】
デジタルカメラ等の電子カメラ装置で、撮像の際に撮像指示猶予時間を設定し、撮像指示（シャッターの押し下げ等）の後、設定時間を経過すると自動的に撮像を行なう自動撮像補助機能（いわゆる、セルフタイマ機能）を有するものがある。
【０００３】
セルフタイマによる撮像を行なう場合には撮像者自身が被写体となるケースが多いが、この場合、撮像者はタイマ（撮像猶予時間カウンタ）を設定した後、所望のアングルにカメラをセットしてシャッターを押してからカメラの視野内の所望の位置まで歩いてそこでポーズをとる。また、シャッターが押されるとタイマのカウントダウンが開始され、タイマカウンタが０（ゼロ）になると撮像が行なわれる。
【０００４】
また、電子カメラ装置を撮像レンズを含む撮像部と本体で構成し、撮像部と本体を前後に回転可能に接続（連結）したものがある。
このような回転型電子カメラ装置では人を撮像する場合にセルフタイマモード時に所望のアングルにカメラを位置付けた後に、本体を半回転させて被写体（人）側に向けてからシャッター操作を行なうことにより、セルフタイマのカウントダウンの経過を表示（時間表示）して、被写体となる人に撮像のタイミングを知らせるようにすることができる。
【０００５】
また、電子カメラ装置で自動的に合焦動作を行なう自動合焦機構を備えたものがある。このような電子カメラ装置では撮像者が所望のアングルで半シャッター操作（シャッター半押し）すると自動合焦動作が開始され、自動合焦後に撮像指示（シャッター全押し）すると撮像（取込んだ画像の記録用メモリへの保存記録）が行なわれる。
【０００６】
【発明が解決しようとする課題】
しかしながら、自動的に合焦動作動作を行なう自動合焦機構を備えた回転型電子カメラ装置でセルフタイマによる撮像を行なう場合に従来の自動合焦制御方式をそのまま適用すると、撮像者がセルフタイマを設定した後、所望のアングルにカメラをセットしてシャッターを半押したときに自動合焦動作を開始しするが、ここで、撮像者が被写体になるために本体を半回転させて被写体方向に向けてから、合焦後にシャッター操作を行なうとセルフタイマのカウントダウンが開始されるが、シャッターを操作は撮像者がカメラの側で行なうので、撮像者が注目被写体としてカメラに認識される場合が生じ、この場合には実際に合焦させたい位置とは異なる位置で合焦が行なわれることとなり、セルフタイマのカウントダウン終了後に撮像された画像は焦点の合っていない、いわゆるピンボケになるといった問題点があった。
【０００７】
また、撮像者が被写体となる場合にシャッターボタンを全押しして撮像指示を行なっても撮像者がカメラの視野内の好適な位置に戻る間にタイマの残存時間が無くなって、撮像者が全部又は一部撮像されないといったことが生じる場合があるという問題点があった。
【０００８】
本発明は、上記問題点を解決するためになされたものであり、レンズ部または本体が回転可能な電子カメラ装置で、セルフタイマモードで、撮像レンズ面と本体の表示画面を同一平面側に位置付けた場合に、ピントの合った画像を撮像し得る電子カメラ装置および撮像方法の提供を目的とする。
【０００９】
【課題を解決するための手段】
上記の目的を達成するために、第１の発明の電子カメラ装置は、被写体に対する合焦動作を行なう自動合焦機構および撮像レンズを含む撮像部と、前記撮像部から取込んだ被写体画像を表示する表示部を備えた本体とが、互に回転可能に接続された電子カメラにおいて、前記撮像部と前記本体との位置関係を検出する位置関係検出手段と、セルフタイマーモード時に、前記検出手段が前記撮像レンズと前記表示部とが異なる側を向いた第１の位置関係であることを検出した場合は、撮像指示操作がなされた直後に自動合焦動作を行うと共に、前記撮像レンズと前記表示部とが同じ側を向いた第２の位置関係であることを検出した場合は、撮像指示操作がなされた後、実際の撮像動作の直前に自動合焦動作を行なう制御手段と、を備えたことを特徴とする。
【００１０】
第２の発明は、上記第１の発明の電子カメラ装置において、前記制御手段は、セルフタイマーモード時に、前記撮像レンズと前記表示部とが同じ側を向いた第２の位置関係であることを検出した場合は、前記撮像操作がなされた際に、カウントダウンを開始指示し、前記表示部に、被写体画像とカウントダウンを重畳表示させ、このカウントダウン終了の付近で自動合焦動作を行なうように制御することを特徴とする。
【００１１】
第３の発明の撮像方法は、被写体に対する合焦動作を行なう自動合焦機構および撮像レンズを含む撮像部と、前記撮像部から取込んだ被写体画像を表示する表示部を備えた本体とが、互に回転可能に接続された電子カメラにおいて、セルフタイマーモード時に、前記撮像部と前記本体との位置関係を検出し、前記撮像部と前記本体とが第１の位置関係であることを検出した場合は、撮像指示操作がなされた直後に自動合焦動作を行なうと共に、第２の位置関係であることを検出した場合は、撮像指示操作がなされた後、実際の撮像動作の直前に自動合焦動作を行なう、ことを特徴とする。
【００１２】
【発明の実施の形態】
＜回路構成例＞
図１は、本発明の電子カメラ装置の一実施例としてのデジタルカメラの構成例を示すブロック図である。
【００１３】
デジタルカメラ１００は、光学系１１、信号変換部１２、信号処理部１３、作業用メモリ（ＤＲＡＭ）１４、制御部２０、操作部３０、表示部４０、画像記録用メモリ（フラッシュメモリ）５０等を備えている。
【００１４】
光学系１１は後述するように撮像部１０１に収容され、その他の回路部分（信号変換部１２〜画像記録用メモリ５０等）は本体１０２に収納されている（図２）。また、撮像部１０１と本体１０２は電気的に接続されると共に回転可能に連結されており、図示していないが撮像部１０１と本体１０２または撮像部１０１と本体１０２のいずれかに、撮像部１０１と本体１０２の位置関係を検出する位置関係検出手段（マイクロスイッチや感圧素子等にセンサ或いは機械的なギア機構等）が設けられており、撮像部１０１或いは本体１０２のいずれかが回転すると撮像部１０１と本体１０２の位置関係（或いは、撮像部１０１と本体１０２のなす角度）を検出して検出信号を制御部２０に送出する。
【００１５】
光学系１１は、撮像レンズ１１１、図示しない自動絞り機構および注目被写体との距離により撮像レンズ１１１を移動させて合焦動作を行なう自動合焦機構（オートフォーカス機構）１１２等を含み、撮像レンズ１１１を介して集光された被写体像の光束を後段の撮像素子（ＣＣＤ）上に結像させる。
信号変換部１２は、ＣＣＤおよび信号変換回路等を含み、前段の光学系１１を介してＣＣＤに結像した画像を電気信号に変換し、デジタルデータに変換して一定の周期で出力する。
【００１６】
信号処理部１３は、信号変換部１２からの出力を処理して、デジタルの輝度、色差マルチプレクス信号（ＹＵＶデータ）等の信号成分を得て、ＹＵＶデータを作業用メモリ１４に転送すると共に表示部４０にスルー画像表示する。また、記録保存の際には作業用メモリ１４に書込まれているＹＵＶデータを読み出してＪＰＥＧ圧縮処理を施して記録用メモリ５０に記録し、再生時には記録用メモリに記録されていた画像データに伸張処理を施してＹＵＶデータを再生する。
【００１７】
制御部２０は図示しないＣＰＵ、ＲＡＭ、プログラム格納用ＲＯＭおよびタイマー等を有したマイクロプロセッサ構成を有しており、ＣＰＵは、上述の各回路および図示しない電源切換えスイッチ等にバスラインを介して接続し、プログラム格納用ＲＯＭに格納されている制御プログラムによりデジタルカメラ１００全体の制御を行なうと共に、操作部３０からの状態信号に対応してデジタルカメラ１００の各機能の実行制御等を行なう。
また、プログラム格納用ＲＯＭには制御プログラムや、デジタルカメラ１００の各処理モードに対応する処理用プログラムの他、自動合焦制御に必要な自動合焦制御プログラムが格納されている。
【００１８】
制御部２０は撮像モード時に、自動合焦制御プログラムによりセルフタイマ設定時（セルフタイマモード）の自動合焦制御およびセルフタイマ設定がない場合の自動合焦制御を行なう。
【００１９】
また、制御部２０はセルフタイマモード時に、自動合焦制御プログラムによりセルフタイマモードのカウントダウンの経過（撮像までの残り時間）を表示部４０の表示画面に時間表示する。
【００２０】
操作部３０は機能選択用ボタン、メインスイッチ、シャッターボタン３６および処理モード切替えボタン等のスイッチやボタンを構成部分としており、これらのスイッチ或いはボタンが操作されると状態信号が制御部２０に送出される。
また、シャッターボタン３６は本実施例では２段構造のスイッチであり、シャッターを１段押し（シャッター半押し）すると合焦動作が開始し、２段押し（シャッター全押し）すると撮像が行なわれる。但し、後述するように本体１０１と撮像部１０２を回転して撮像レンズ１１１の面と表示部４０の表示画面４０’が同一方向に位置付けた場合（図２（ｂ））にはシャッターを１段押ししても合焦動作は開始しない（図３）。
【００２１】
表示部４０はビデオエンコーダ、ＶＲＡＭおよび液晶画面（ＬＣＤ）等から構成されており、撮像時のスルー画像および再生時の再生画像、処理選択時の選択用メニューやガイド（或いはアイコン）等を液晶画面上に表示する。表示部４０は、また、セルフタイマモード時にセルフタイマのカウントダウン値（時間）をスルー画像に重畳表示する（カウントダウン値のみを表示するようにしてもよい）。
【００２２】
＜回転型電子カメラ装置の例（外観）＞
図２は撮像部と本体が回転可能に構成されたデジタルカメラの一実施例の外観を示す斜視図であり、（ａ）は背部外観図、（ｂ）は本体を前部に回転させた場合の前部外観図である。
デジタルカメラ１００は、撮像部１０１と本体１０２からなり、撮像部１０１と本体１０２は電気的に接続されると共に回転可能に連結されている。撮像部１０１および本体１０２は同時に逆方向に回転することもできるし、一方を（手などで）固定して他の一方を前後に回転することもでる。
【００２３】
撮像部１０２には光学系１１が収容されている。その前部側には撮像レンズ１１１と自動合焦用測距部（図示せず）の他、ストロボ発光部や光量センサ等（図示せず）設けられている。なお、自動合焦方式が注目被写体の輝度分布等から合焦の可否を判定するコントラストオートフォーカスの場合には、自動合焦用測距部の代りに光量センサを用いることができる。
【００２４】
また、本体１０２の上側部にはシャッターボタン３６やその他の操作用のスイッチやボタン（図示せず）等が設けられており、背部には表示部４０の表示画面４０’の他、操作用のスイッチやボタン（図示せず）等が設けられている。
【００２５】
通常の撮像時には、図２（ａ）に示すように撮像レンズ１１１と表示部４０の表示画面４０’が１８０゜反対方向になるように撮像部１０１か本体１０２を回転させて、撮像レンズ１１１のレンズ面を被写体方向に向け、表示画面４０’を撮像者側に向けて撮像する。これにより、撮像時には被写体が表示画面４０’にスルー画像表示されるので、撮像者は表示画面４０’をファインダ代りにして撮像することができる。
【００２６】
また、セルフタイマモード時で撮像者が被写体となる場合や集合写真を撮る場合には図２（ｂ）に示すように本体１０２を反転させる。これにより、被写体と表示画面４０’が正対するので、撮像レンズ１１１のレンズ面と同方向に向けて表示画面４０’にカウントダウン値（時間）を表示して、被写体となった人は撮像のタイミングを知らせることができる。
【００２７】
＜回転型デジタルカメラの動作例＞
図３は、撮像部と本体が回転可能に構成されたデジタルカメラの自動合焦動作を示すフローチャートであり、下記ステップＳ４〜Ｓ１０はセルフタイマモードでの自動合焦制御プログラムによる制御部２０の自動合焦制御動作に相当する。また、下記ステップＳ４〜Ｓ８はセルフタイマモードで表示画面を被写体側に回転させた場合の自動合焦制御プログラムによる制御部２０の自動合焦制御動作に相当する。
【００２８】
ステップＳ０：（撮像モードの選択／設定）
デジタルカメラ１００が電源オンとなると、制御部２０は表示部４０に処理モード選択用画面を表示する。そこで、撮像者は処理モード選択ボタン（またはカーソル等）を操作して所望の処理モードを選択する。また、処理モードが選択されるとその処理モード内でのモードや設定値を選択（または設定する）画面が表示されるので、撮像者はさらに所望のモードを選択したり設定を行なう。例えば、撮像モードを選択した場合には、通常撮影、連写、ＰＡＳＴ撮影、・・や、セルフタイマ等の撮像方法の選択を行なう。また、セルフタイマモードを選択した場合には時間を設定する。
【００２９】
ステップＳ１：（撮像モードの判定）
制御部２０は、上記ステップＳ１での選択結果を調べ、撮像モードが選択された場合にはＳ２に遷移し、そうでない場合には当該処理モードの実行プログラムに遷移する。
【００３０】
ステップＳ２：（スルー画像表示）
制御部２０は、作業用メモリ（ＤＲＡＭ）１４に取込まれた被写体画像を記憶すると同時に表示部４０にスルー画像表示する。
【００３１】
ステップＳ３：（半シャッター操作、セルフタイマモードの判定）
制御部２０は操作部３０からの状態信号を調べ、撮像者がシャッターボタン３６を半押したか否かを判定する。シャッターボタン３６が半押しされた場合には制御部２０は、更に、上記ステップＳ０でセルフタイマモードが選択されていたか否かを調べ、選択されていた場合にはＳ４に遷移し、そうでない場合にはＳ１２に遷移する。また、シャッターボタン３６が半押しされていない場合にはシャッターボタン３６の半押し操作を待つ（撮像者は、通常、デジタルカメラ１００の視野内に被写体（或いは被写体となる自分自身の位置）が好ましいアングルで入る考えた場合にシャッターボタン３６を半押しする）。
【００３２】
ステップＳ４：（本体が半回転操作された否かの判定）
撮像者は自分を被写体にしたい場合や撮像者にタイマのカウントダウン状態を知らせたい場合には、撮像レンズ１１１と同様に表示部４０の表示画面を被写体側に向けるために本体１０２を半回転させる。
【００３３】
制御部２０は、撮像部１０１と本体１０２の位置関係を検出する位置関係検出手段からの回転検出信号（または位置検出信号）の有無を調べ、回転検出信号（または位置検出信号）を受取った場合には撮像レンズ１１１の面と表示部４０の表示画面４０’が同一平面に位置付けられた時点（例えば、半回転終了信号を受取った時点）でＳ５に遷移する。また、回転検出信号（または位置検出信号）の送出のない場合にはＳ９に遷移する。
【００３４】
ステップＳ５：（カウントダウン開始の可否判定）
上記ステップＳ４で本体１０２が半回転操作されると、制御部２０は操作部３０からの状態信号を調べ、撮像者がシャッターボタン３６を全押ししたか否かを判定する。シャッターボタン３６が全押しされた場合にはセルフタイマのカウントダウンを開始し、Ｓ６に遷移する。また、シャッターボタン３６が全押しされない場合には全押しを待つ。なお、本体１０２が半回転操作された後は撮像指示操作以外のシャッター操作（例えば、シャッターボタン半押し）は無効となる。すなわち、シャッター全押しのみが有効となる。
【００３５】
ステップＳ６：（セルフタイマのカウントダウンおよび残存時間表示）
制御部２０は内部タイマからの経時信号を基に所定時間（例えば、０．１秒）毎にセルフタイマの内容（時間）から所定時間（例えば、０．１秒）を差引いてセルフタイマのカウントダウンを行なうと共にセルフタイマの残存時間を表示部４０に表示されているスルー画像に重畳表示する。
【００３６】
ステップＳ７：（自動合焦動作開始のタイミング判定）
制御部２０はセルフタイマの値（タイマカウンタ値）が閾値ｔ以下の場合にはＳ８に遷移し、そうでない場合にはＳ７に戻ってカウントダウンおよび残存時間の重畳表示を繰り返す。閾値ｔを実施例では１秒としたが、これに限定されない（測定距離＝無限大に対応する撮像レンズ１１１の停止位置から測定距離＝最近距離値に対応する撮像レンズ１１１の停止位置まで（またはこの逆）の撮像レンズの移動時間よりｔが大きければよい）。
【００３７】
ステップＳ８：（自動合焦動作）
制御部２０は自動合焦機構１１２に制御信号を送って自動合焦動作を開始させ、Ｓ１５に遷移する。
【００３８】
ステップＳ９：（本体を半回転操作しない場合のセルフタイマモード下での自動合焦動作）
本体が半回転操作されない場合には、制御部２０は自動合焦機構１１２に制御信号を送って自動合焦動作を開始させ、Ｓ１０に遷移する。
【００３９】
ステップＳ１０：（合焦判定）
制御部２０は、自動合焦機構１１２からのレンズ移動信号から合焦したか否かを調べる。合焦した場合には自動合焦機構１１２に制御信号を送って撮像レンズ１１１の移動を停止させ、Ｓ１１に遷移する。合焦していない場合には合焦を待つ。なお、この間シャッター操作はロックされる。
【００４０】
ステップＳ１１：（カウントダウン開始の可否判定）
上記ステップＳ１０で合焦判定がなされると、制御部２０は操作部３０からの状態信号を調べ、撮像者がシャッターボタン３６を全押ししたか否かを判定する。シャッターボタン３６が全押しされた場合にはセルフタイマのカウントダウンを開始し、Ｓ１５に遷移する。また、シャッターボタン３６が全押しされない場合には全押しを待つ。
【００４１】
ステップＳ１２：（セルフタイマ設定をしない場合の自動合焦動作）
上記ステップＳ３の判定で、ステップＳ０でセルフタイマモードが選択されいなかった場合には、制御部２０は自動合焦機構１１２に制御信号を送って自動合焦動作を開始させ、Ｓ１３に遷移する。
【００４２】
ステップＳ１３：（合焦判定）
制御部２０は、自動合焦機構１１２からのレンズ移動信号から合焦したか否かを調べる。合焦した場合には自動合焦機構１１２に制御信号を送って撮像レンズ１１１の移動を停止させ、Ｓ１４に遷移する。合焦していない場合には合焦を待つ。なお、この間シャッター操作はロックされる。
【００４３】
ステップＳ１４：（撮像操作）
上記ステップＳ１３で合焦判定がなされると、制御部２０は操作部３０からの状態信号を調べ、撮像者がシャッターボタン３６を全押ししたか否かを判定する。シャッターボタン３６が全押しされた場合には撮像操作があったものとしてＳ１７に遷移する。また、シャッターボタン３６が全押しされない場合には全押しを待つ。
【００４４】
ステップＳ１５：（撮像の可否判定）
制御部２０はセルフタイマの値（＝残存時間）を調べ、それが０（ゼロ）の場合にはＳ１７に遷移し、０でない場合にはステップＳ１６に遷移する。
【００４５】
ステップＳ１６：（セルフタイマのカウントダウンおよび残存時間表示）
制御部２０は内部タイマからの経時信号を基に所定時間（例えば、０．１秒）毎にセルフタイマの内容（時間）から所定時間（例えば、０．１秒）を差引いてセルフタイマのカウントダウンを行なうと共にセルフタイマの残存時間を表示部４０に表示されているスルー画像に重畳表示し、ステップＳ１６に戻って残存時間の判定を繰り返す。
【００４６】
ステップＳ１７：（画像記録処理）
制御部２０は上記ステップＳ１４のシャッター全押しがされたとき、または上記ステップＳ１５のセルフタイマの残存時間が０になったときに作業用メモリ１４に記憶されている画像をＪＰＥＧ圧縮して記憶用メモリ（フラッシュメモリまたはメモリカード）５０に記憶する。
【００４７】
なお、上記ステップＳ６またはＳ１６でのカウントダウン表示で残存時間をスルー画像に重畳表示したが、残存時間やメッセージだけを表示するようにしてもよい。また、上記ステップＳ４では本体１０２を半回転させたか否かの判定を行なうようにしているが、半回転に限定されず、本体１０２の表示画面４０’が撮像レンズの向いている側に回転されたか否かの判定を行なうようにしてもよい（回転される本体１０２の回転停止位置は撮像部１０１と同じ平面内になくてもよい）。また、回転される本体１０２の回転停止位置を複数段設けるようにしてもよい。
【００４８】
また、上記ステップＳ３で半シャッター操作を行なうようにしたが、これに代えてステップ９の前段とステップＳ１２の前段で半シャッター操作を行なうようにしてもよい。
【００４９】
上記動作により、セルフタイマモードで、カメラ本体を回転させた場合には撮像指示操作が行なわれるとセルフタイマのカウントダウンを開始し、セルフタイマの設定時間がゼロになる直前に合焦動作が開始され、合焦動作が終ると直ちに撮像（画像記録処理）を行なうので、撮像者がカメラの前方に廻ってシャッターボタンを全押しして撮像指示を行なっても撮像者に合焦されず、ピンボケが生じない。
【００５０】
また、セルフタイマモードでカメラ本体を回転させない場合には半シャッター操作後に自動合焦動作が開始され、撮像指示操作が行なわれるとセルフタイマのカウントダウンを開始し、セルフタイマの設定時間がゼロになると直ちに撮像（画像記録処理）を行なうので、セルフタイマモードに設定して、所望のアングルでカメラを固定して自動合焦させてから撮像指示（シャッター全押し）を行なうことにより、手ぶれの全くない画像を撮像することができる。
【００５１】
以上本発明の一実施例について説明したが、本発明は上記実施例に限定されるものではなく、種々の変形実施が可能であることはいうまでもない。
【００５２】
【発明の効果】
以上説明したように、第１の発明の電子カメラ装置および第３の発明の撮像方法によれば、セルフタイマモードで、撮像部と表示部の位置関係により、合焦動作を、シャッターボタン押下直後に行なうのか、実際の撮像動作の直前に行なうのか選択することができるので、シャッターボタン押下時に合焦する対象がはっきりしている時には撮影者が表示部を良くみながら合焦できると共に、合焦する対象がはっきりしていない（自分に合焦したい）ときにはシャッターボタン押下後のセルフタイマの終了直前に合焦を行なうことにより、合焦前に、撮影者がカメラの視野内の好適な位置に戻り、被写体となりながら、撮像部の大体横にある表示部でスルー画像を確認しながら合焦を確認する時間的余裕を十分に得ることができるので、撮像者が全部又は一部撮像されないといったことが生じないし、自分に合焦することもできる。また、カメラ本体を回転させた場合には撮像指示操作が行なわれるとセルフタイマのカウントダウンを開始し、セルフタイマのカウントダウン開始後に合焦動作が開始されるので、表示部にカウントダウン値（時間）を表示して被写体となる人の関心と視線をカメラに集中させることができると共に、まとまりのある画像を得ることができる。
【００５３】
また、第１，第２の発明の電子カメラ装置および第３の発明の撮像方法によれば、セルフタイマの設定時間がゼロになる直前に合焦動作が開始され、合焦動作が終ると直ちに撮像（画像記録処理）が行なわれるので、撮像者がカメラの前方に廻ってシャッターボタンを全押しして撮像指示を行なっても撮像者に合焦されず、ピンボケが生じない。
【図面の簡単な説明】
【図１】本発明の電子カメラ装置の一実施例としてのデジタルカメラの構成例を示すブロック図である。
【図２】撮像部と本体が回転可能に構成されたデジタルカメラの一実施例の外観を示す斜視図である。
【図３】撮像部と本体が回転可能に構成されたデジタルカメラの自動合焦動作を示すフローチャートである。
【符号の説明】
２０  制御部（撮像指示制御手段、カウントダウン手段、自動合焦機構制御手段）
４０  表示部
４０’  表示画面
１００  デジタルカメラ（電子カメラ装置）
１０１  撮像部
１０２  本体
１１１  撮像レンズ
１１２  自動合焦機構
【図１】
0003815083.tif 000002
【図２】
0003815083.tif 000003
【図３】
0003815083.tif 000004